(57)【要約】      （修正有）【課題】簡素な構成でかつ十分な強度を有する電池蓋ヒンジ構造を形成する。【解決手段】同一面上に正電極及び負電極の併設された電池を収納するための電池収納空間が設けられたセットシャーシ３１と、電池収納空間に電池が収納された状態で当該電池の一端を押さえ付けることにより当該電池を電池収納空間に保持するための電池蓋側軸受部を有する電池蓋３２と、当該電池蓋３２をセットシャーシ３１に対して開閉自在に取り付けるため当該セットシャーシ３１と一体に形成されたシャーシ側軸受部とを具え、電池蓋側軸受部とシャーシ側軸受部とを軸を介して取り付け電池蓋３２をセットシャーシ３１に軸支することにより、電池蓋３２に加えられる力を当該電池蓋３２と一体化されたセットシャーシ３１全体で吸収することができるので、簡素な構成で従来に比して一段と強度を向上させることができる。【選択図】図２
2006019216.tif 000002
【特許請求の範囲】
【請求項１】
同一面上に正電極及び負電極の併設された電池を収納するための電池収納空間が設けられたシャーシフレームと、
上記電池収納空間に上記電池が収納された状態で当該電池の一端を押さえ付けることにより当該電池を上記電池収納空間に保持するための電池蓋側ヒンジ部を有する電池蓋と、
上記電池蓋を上記シャーシフレームに対して開閉自在に取り付けるため当該シャーシフレームと一体に形成されたシャーシ側ヒンジ部と
を具え、
上記電池蓋側ヒンジ部と上記シャーシ側ヒンジ部とを軸を介して取り付けることにより上記電池蓋が上記シャーシフレームに軸支される
ことを特徴とする電池蓋ヒンジ構造。
【請求項２】
上記電池蓋ヒンジ構造は、
上記電池蓋側ヒンジ部と上記シャーシ側ヒンジ部とが当接された当接部分における弾性力及び摺動抵抗を利用して上記電池蓋の開閉時における開閉抵抗を調整する
を具えることを特徴とする請求項１に記載の電池蓋ヒンジ構造。
【請求項３】
上記電池蓋には、上記電池の正電極及び負電極に対応する正極端子及び負極端子のいずれも設けられていない
ことを特徴とする請求項１に記載の電池蓋ヒンジ構造。
【請求項４】
上記電池蓋には、上記電池が上記電池収納空間に収納された状態で上記電池における一方の端面に押し付けられる押付面に断面台形状の絞り加工が施されている
ことを特徴とする請求項１に記載の電池蓋ヒンジ構造。
【請求項５】
装着状態に電池を保持する電池蓋を有する電子機器であって、
同一面上に正電極及び負電極の併設された上記電池を収納するための電池収納空間が設けられたシャーシフレームと、
上記電池収納空間に上記電池が収納された状態で当該電池の一端を押さえ付けることにより当該電池を上記電池収納空間に保持するための電池蓋側ヒンジ部を有する上記電池蓋と、
上記電池蓋を上記シャーシフレームに対して開閉自在に取り付けるため当該シャーシフレームと一体に形成されたシャーシ側ヒンジ部と
を具え、
上記電池蓋側ヒンジ部と上記シャーシ側ヒンジ部とを軸を介して取り付けることにより上記電池蓋が上記シャーシフレームに軸支される
ことを特徴とする電子機器。
【発明の詳細な説明】
【技術分野】
【０００１】
本発明は、電池蓋ヒンジ構造及び電子機器に関し、例えばポータブルミニディスクプレーヤに適用して好適なものである。
【背景技術】
【０００２】
従来、電池蓋ヒンジ構造としては、例えばカメラの電池蓋をヒンジによって開閉するようになされたものがある（特許文献１参照）。
【特許文献１】特開2003-142841公報
【０００３】
また、図１０に示すようにポータブルミニディスクプレーヤ１においては、下側筐体を構成する本体ケース２と上側筐体を構成するカバー体（図示せず）とによって全体が形成され、当該本体ケース２のセットシャーシ３に対してメイン基板４が直接取り付けられると共に、そのメイン基板４に対して樹脂製の電池ケース５がビス６により取り付けられた構造を有している。
【０００４】
図１１に示すように、電池ケース５に取り付けられる電池蓋７は、電池の正電極（図示せず）と機械的かつ電気的に接続される接点部９が電池端子８の表面から僅かに突出した状態に設けられ、当該接点部９が端子カバー１０によって覆われている。
【０００５】
この電池蓋７は、電池が電池ケース５（図１０）の電池収納空間５Ａに収納された状態で当該電池の正電極が接点部９と当接され、当該電池蓋７が閉じられたときに当該接点部９の弾性力によって電池の正電極を押さえ付けることになり、これにより当該電池との導通状態を確実なものとするようになされている。
【０００６】
また電池蓋７は、電池端子８がヒンジ部１１の軸１６を介して取付板１２と回動自在に軸支されており、当該取付板１２のビス穴１３を介して電池ケース５に直接取り付けられるようになされている。
【０００７】
実際上、電池蓋７は電池ケース５（図１０）の電池蓋保持部１４に取付板１２が先端１２Ａから挿通された状態で、ビス穴１３及びビス１５を介して当該電池ケース５に取り付けられ、これによりポータブルミニディスクプレーヤ１における電池蓋ヒンジ構造が実現されている。なお電池蓋７の取付板１２における先端部１２Ａはメイン基板４上に位置され、当該先端部１２Ａとメイン基板４とがはんだ付けされる。
【発明の開示】
【発明が解決しようとする課題】
【０００８】
ところでかかる構成における従来のポータブルミニディスクプレーヤ１においては、電池蓋７が電池端子８、接点部９、端子カバー１０、取付板１２及びヒンジ部１１の軸１６でなる計５点の部品によって構成されているので、部品点数が多く組立工数も複雑になるという問題があった。
【０００９】
また、従来の電池蓋ヒンジ構造においては、ビス１５によって取り付けられる対象が樹脂製の電池ケース５であるために十分な強度が取れず、電池蓋７に無理な力が加えられたときに樹脂製の電池ケース５が破損してしまうという問題があった。
【００１０】
本発明は以上の点を考慮してなされたもので、簡素な構成でかつ十分な強度を有する電池蓋ヒンジ構造及び電子機器を提案しようとするものである。
【課題を解決するための手段】
【００１１】
かかる課題を解決するため本発明の電池蓋ヒンジ構造においては、同一面上に正電極及び負電極の併設された電池を収納するための電池収納空間が設けられたシャーシフレームと、電池収納空間に電池が収納された状態で当該電池の一端を押さえ付けることにより当該電池を電池収納空間に保持するための電池蓋側ヒンジ部を有する電池蓋と、当該電池蓋をシャーシフレームに対して開閉自在に取り付けるため当該シャーシフレームと一体に形成されたシャーシ側ヒンジ部とを具え、電池蓋側ヒンジ部とシャーシ側ヒンジ部とを軸を介して取り付けることにより電池蓋がシャーシフレームに軸支されるようにする。
【００１２】
これにより電池蓋がシャーシフレームに直接取り付けられることにより、電池蓋に加えられる力をシャーシフレーム全体で吸収することができるので、簡素な構成でありながら従来に比して一段と強度を向上させることができる。
【００１３】
また本発明の電池蓋ヒンジ構造においては、電池蓋側ヒンジ部とシャーシ側ヒンジ部とが当接された当接部分における弾性力及び摺動抵抗を利用して電池蓋の開閉時における開閉抵抗を調整することができるので、新たな部品を追加することなく電池蓋の開閉時における開閉抵抗を自在に調整することができる。
【００１４】
さらに本発明の電子機器においては、装着状態に電池を保持する電池蓋を有する電子機器であって、同一面上に正電極及び負電極の併設された電池を収納するための電池収納空間が設けられたシャーシフレームと、電池収納空間に電池が収納された状態で当該電池の一端を押さえ付けることにより当該電池を電池収納空間に保持するための電池蓋側ヒンジ部を有する電池蓋と、当該電池蓋をシャーシフレームに対して開閉自在に取り付けるため当該シャーシフレームと一体に形成されたシャーシ側ヒンジ部とを具え、電池蓋側ヒンジ部とシャーシ側ヒンジ部とを軸を介して取り付けることにより電池蓋がシャーシフレームに軸支されるようにする。
【００１５】
これにより電子機器では、電池蓋がシャーシフレームに直接取り付けられることにより、電池蓋に加えられる力をシャーシフレーム全体で吸収することができるので、簡素な構成でありながら従来に比して一段と強度を向上させることができる。
【発明の効果】
【００１６】
本発明によれば、電池蓋がシャーシフレームに直接取り付けられることにより、電池蓋に加えられる力をシャーシフレーム全体で吸収することができるので、簡素な構成でありながら従来に比して一段と強度を向上させ得る電池蓋ヒンジ構造及び電子機器を実現することができる。
【発明を実施するための最良の形態】
【００１７】
以下、図面について、本発明の一実施の形態を詳述する。
【００１８】
（１）ポータブルミニディスクプレーヤの外観構成
図１に示すようにポータブルミニディスクプレーヤ２０においては、下側筐体を構成する本体ケース２１と上側筐体を構成するカバー体２２とによって全体が形成されている。
【００１９】
ここでポータブルミニディスクプレーヤ２０においては、図示しないディスクカートリッジを挿入する方向を後方向とし、ディスクカートリッジを排出する方向を前方向と定義すると共に、ディスクカートリッジを挿入する側にユーザが対峙した状態において右側を右方向及び左側を左方向として定義した上で以下説明する。
【００２０】
このポータブルミニディスクプレーヤ２０では、カバー体２２を閉塞位置から所定角度の開放位置まで回動させるためのオープンスライダ２３が本体ケース２１の前方向周側面に設けられている。
【００２１】
またポータブルミニディスクプレーヤ２０は、当該本体ケース２１の右方向周側面に電池蓋ケース２４が取り付けられると共に、再生動作、記録動作、音量調整等を行うための各種操作ボタン２５〜２８が設けられている。なおポータブルミニディスクプレーヤ２０は、図示しないがヘッドフォンジャック端子やマイクロフォン端子等が左方向周側面に設けられている。
【００２２】
（２）電池蓋ヒンジ構造
図２に示すように、３０は全体として本発明における電池蓋ヒンジ構造を示し、シャーシフレームとしてのセットシャーシ３１と当該セットシャーシ３１の右方向周側面に取り付けられた電池蓋３２とが一体となったアッセンブリー構造であることを一つの特徴とする。
【００２３】
セットシャーシ３１は、全体として偏平状の枠組み構造で形成された矩形の枠体でなり、当該セットシャーシ３１には各種回路や電子部品等の実装されたメイン基板３３が直接取り付けられる。
【００２４】
図３に示すように、メイン基板３３には電池台３４が載置されて取り付けられ、その上から電池ケース３５が取り付けられることにより、当該電池台３４と電池ケース３５とによって電池収納空間が形成され、その電池収納空間に対して従来とは異なる矩形状の電池３６が収納されるようになされている。
【００２５】
この電池台３４は、メイン基板３３と電気的に接続された正極端３４Ａ及び負極端子３４Ｂが僅かな間隔をもって併設されており、当該正極端子３４Ａ及び負極端子３４Ｂを介して電池３６と電気的に導通するようになされている。
【００２６】
なお電池台３４には、正極端子３４Ａ及び負極端子３４Ｂの近傍にコイルばね３９が設けられており、これにより電池収納空間に収納された電池３６を排出する際の当該電池３６に対する付勢力を与え得るようになされている。
【００２７】
一方、電池３６は電池台３４の正極端子３４Ａ及び負極端子３４Ｂに対応した正電極３７及び負電極３８がその一端側に設けられており、これにより電池収納空間に電池３６が収納された場合に正電極３７及び負電極３８が電池台３４の正極端子３４Ａ及び負極端子３４Ｂに押し付けられて電気的に導通するようになされている。
【００２８】
従って、この電池蓋ヒンジ構造３０においては、電池収納空間に収納された電池３６の他端側に当該電池３６の正電極３７又は負電極３８が存在することはなく、電池蓋３２（図２）には電池３６との電気的接続を図る必要のない単なる蓋としての役割だけを担うことになるため、その分だけ当該電池蓋３２の構成を簡素化し得るようになされている。
【００２９】
一方、図４に示すように電池蓋３２は、電池３６の他端側に当該電池３６の正電極３７又は負電極３８が存在することがないため、当該電池３６と電気的に接触させるべき接点部は設けられておらず、平坦状のベース面４１に対して絞り加工が施された略断面台形状でなる押付面４２が形成されており、当該押付面４２上の所定位置に半球状の凸部４３及び４４が形成されている。
【００３０】
これにより電池蓋ヒンジ構造３０では、電池収納空間に電池３６が収納された状態で電池蓋３２が閉じられると、当該押付面４２上の凸部４３及び４４によって電池３６の端面３６Ａ（図３）を押し付け、かくして当該電池３６の正電極３７及び負電極３８と電池台３４の正極端子３４Ａ及び負極端子３４Ｂとが機械的かつ電気的に接続されるようになされている。
【００３１】
また電池蓋３２は、セットシャーシ３１に軸を介して取り付けられるための軸穴４５及び４６が設けられた当接部４７及び４８と、当該軸穴４５及び４６の中心を結ぶ中心線と平行に垂設された軸支持部５０とにより全体として略断面コ字状でなる電池蓋側軸受部４９が形成されている。
【００３２】
一方図５に示すように、セットシャーシ３１には、軸を介して電池蓋３２を取り付けるために用いられる軸穴５１及び５２の設けられた当接部分５７及び５８が当該セットシャーシ３１と一体に形成され、これによりセットシャーシ３１自体と当接部分５７及び５８とによってシャーシ側軸受部５３が形成されている。
【００３３】
ここで当接部分５７は、セットシャーシ３１における右方向周側面の一部を切り起こして折り曲げることにより形成され、当接部分５８についても右方向周側面から切り起こして２度折り曲げることにより形成され、これによりセットシャーシ３１と一体化された構造を有している。
【００３４】
また当接部分５７及び５８がセットシャーシ３１と一体化された構造を有するようにしたことにより、当該当接部分５７及び５８がセットシャーシ３１と別部品になることを予め防止して部品点数を減少するようになされている。
【００３５】
ここで当接部分５８においては、軸穴５１及び５２の中心を結ぶ中心線と平行に垂設されている壁部５８Ａによって当該当接部分５８の強度向上が図られており、当該壁部５８Ａが設けられていない場合と比較して電池蓋３２の開閉動作に伴ってセットシャーシ３１に与える歪みの影響を低減し得るようになされている。
【００３６】
これにより電池蓋ヒンジ構造３０では、電池蓋３２が軸穴５１及び５２の中心を結ぶ中心線と平行状態を保持しながら開閉動作し得るようになされている。
【００３７】
ところでシャーシ側軸受部５３は、電池蓋３２における電池蓋側軸受部４９の当接部４７及び４８の間口に入り込む形で嵌入される程度の大きさに当該当接部分５７及び５８間の距離が選定されている。
【００３８】
これにより図６に示すように電池蓋ヒンジ構造３０では、電池蓋３２における電池蓋側軸受部４９の当接部４７及び４８の間口に対して、シャーシ側軸受部５３の当接部分５７及び５８が嵌入された状態で、軸５４が電池蓋側軸受部４９（図４）における当接部４７の軸穴４５、シャーシ側軸受部５３（図５）における当接部分５７の軸穴５１に挿通され、かつシャーシ側軸受部５３（図５）における当接部分５８の軸穴５２、電池蓋側軸受部４９（図４）における当接部４８の軸穴４６に挿通された後に当該軸５４の先端がカシメられることにより、電池蓋３２がセットシャーシ３１に取り付けられるようになされている。
【００３９】
かくして電池蓋ヒンジ構造３０では、電池蓋３２が軸５４を介してセットシャーシ３１のシャーシ側軸受部５３に軸支されるので、当該軸５４を介して自在に開閉動作し得るようになされている。
【００４０】
ここで図７及び図８に示すように電池蓋ヒンジ構造３０は、電池蓋３２の電池蓋側軸受部４９における当接部４７及び４８の間口にシャーシ側軸受部５３の当接部分５７及び５８が嵌入された状態で軸５４により軸支されているため、電池蓋側軸受部４９の当接部４７及び４８とシャーシ側軸受部５３の当接部分５７及び５８との間で摺動抵抗が発生し、これによりユーザの電池蓋３２に対する開閉動作に対して適度な抵抗感を与えるようになされている。
【００４１】
従って図９に示すように電池蓋ヒンジ構造３０では、シャーシ側軸受部５３を形成するためにセットシャーシ３１の右方向周側面から折り曲げ加工する際、当該シャーシ側軸受部５３の略Ｌ字状でなる当接部分５８を当該当接部分５７及び５８間の間口を押し拡げる方向（矢印Ｐ方向）若しくは狭める方向（矢印Ｑ方向）に予め設定しておくことにより、電池蓋側軸受部４９とシャーシ側軸受部５３との摺動抵抗を増減させて電池蓋３２に対する開閉時の抵抗感を調整し得るようになされている。
【００４２】
すなわち電池蓋ヒンジ構造３０では、シャーシ側軸受部５３の略Ｌ字状でなる当接部分５８を当該当接部分５７及び５８間の間口を僅かに拡げた状態で形成することにより、電池蓋側軸受部４９とシャーシ側軸受部５３とにおける摺動抵抗を増加させて電池蓋３２の開閉動作時における抵抗感を増加させることができ、一方、シャーシ側軸受部５３の当接部分５８を当該当接部分５７及び５８間の間口を僅かに狭めた状態で形成することにより、電池蓋側軸受部４９とシャーシ側軸受部５３との摺動抵抗を低減させて当該電池蓋３２の開閉動作時における抵抗感を減少させることができる。
【００４３】
（３）動作及び効果
以上の構成において、電池蓋ヒンジ構造３０では電池蓋側軸受部４９とシャーシ側軸受部５３とが軸５４を介して軸支された状態で電池蓋３２がシャーシフレーム３１に直接取り付けられるため、電池蓋３２に加えられる力をシャーシフレーム３１全体で吸収することができるので、電池蓋３２とセットシャーシ３１とが一体化された簡素な構成でありながら従来に比して一段と強度を向上させることができる。
【００４４】
また電池蓋ヒンジ構造３０では、電池蓋３２の電池蓋側軸受部４９とセットシャーシ３１のシャーシ側軸受部５３との摺動抵抗を利用して電池蓋３２の開閉動作時における抵抗感を生じさせるようにしているため、シャーシ側軸受部５３における当接部分５７及び５８間の間口を押し拡げた状態に形成することにより、電池蓋側軸受部４９とシャーシ側軸受部５３とにおける摺動抵抗を増加させて電池蓋３２の開閉動作時における抵抗感を増加させることができる。
【００４５】
さらに電池蓋ヒンジ構造３０では、ポータブルミニディスクプレーヤ２０が正電極３７及び負電極３８を一端側に併設した形状の電池３６を対象としているため、電池蓋３２に電池３６の正電極３７と電気的に接続するための接点部や端子カバーが不要となり、備品点数を削減して簡素化を図ることができる。
【００４６】
また従来の電池蓋７（図１１）では、電池ケース５に取り付けるための取付板１２が必要であったのに対し、本発明における電池蓋ヒンジ構造３０ではシャーシ側軸受部５３と一体化されたセットシャーシ３１自体を当該取付板１２の代わりに代用することができるので、一体化構造に伴う強度向上と共に部品点数を減少させることもできる。
【００４７】
以上の構成によれば、ポータブルミニディスクプレーヤ２０の電池蓋ヒンジ構造３０では、電池蓋３２とセットシャーシ３１とが一体化された簡素な構成を実現すると共に、従来の電池蓋ヒンジ構造と比して一段と強度を向上させることができる。
【００４８】
（４）他の実施の形態
なお上述の実施の形態においては、シャーシ側ヒンジ部として設けられたシャーシ側軸受部５３の下方側に位置する当接部分５８を押し拡げる若しくは狭めることにより電池蓋側ヒンジ部として設けられた電池蓋側軸受部４９とシャーシ側軸受部５３との摺動抵抗を調整するようにした場合について述べたが、本発明はこれに限らず、シャーシ側軸受部５３の上方側に位置する当接部分５７を押し拡げる若しくは狭めることにより電池蓋側軸受部４９とシャーシ側軸受部５３との摺動抵抗を調整するようにしても良い。
【００４９】
また上述の実施の形態においては、電池蓋側軸受部４９の当接部４７及び４８の間口にシャーシ側軸受部５３の当接部分５７及び５８が嵌入された状態で軸５４を介して電池蓋３２を取り付けるようにした場合について述べたが、本発明はこれに限らず、シャーシ側軸受部５３の当接部分５７及び５８の間口に対して電池蓋側軸受部４９の当接部４７及び４８が嵌入された状態で軸５４を介して電池蓋３２を取り付けるようにしても良い。
【００５０】
さらに上述の実施の形態においては、本発明をポータブルミニディスクプレーヤ２０に適用するようにした場合について述べたが、本発明はこれに限らず、ポータブルＣＤ(Compact Disc)プレーヤ等の電池蓋をヒンジ構造によって開閉する他の種々の電子機器に適用するようにしても良い。
【産業上の利用可能性】
【００５１】
本発明の電池蓋ヒンジ構造及び電子機器は、例えばポータブルタイプの電子機器で電池蓋をヒンジ構造で開閉する種々の用途に適用することができる。
【図面の簡単な説明】
【００５２】
【図１】本発明のポータブルミニディスクプレーヤの外観構成を示す略線的斜視図である。
【図２】本発明における電池蓋ヒンジ構造の全体構成を示す略線的斜視図である。
【図３】メイン基板、電池ケース及び電池の取付位置関係を示す略線的斜視図である。
【図４】電池蓋の構造を示す略線的斜視図である。
【図５】シャーシ側軸受部の構造を示す略線的斜視図である。
【図６】電池蓋ヒンジ構造の要部（１）を示す略線的斜視図である。
【図７】電池蓋ヒンジ構造の要部（２）を示す略線的斜視図である。
【図８】電池蓋軸受部とシャーシ側軸受部とにおける接続状態の説明に供する略線的断面図である。
【図９】摺動抵抗の調整の説明に供する略線的斜視図である。
【図１０】従来のポータブルミニディスクプレーヤにおける電池蓋ヒンジ構造を示す略線的斜視図である。
【図１１】従来の電池蓋を示す略線的斜視図である。
【符号の説明】
【００５３】
１、２０……ポータブルミニディスクプレーヤ、２、２１……本体ケース、３、３１……セットシャーシ、４、３２……メイン基板、５、３５……電池ケース、６、１５……ビス、７、３２……電池蓋、８……電池端子、９……接点部、１０……端子カバー、１１……ヒンジ部、１２……取付板、１６、５４……軸、２２……カバー体、２４……電池蓋ケース、３４……電池台、３６……電池、４１……ベース面、４２……押付面、４３、４４……凸部、４５、４６、５１、５２……軸穴、４７、４８……当接部、５０……軸支持部、５７、５８……当接部分。
【図１】
2006019216.tif 000003
【図２】
2006019216.tif 000004
【図３】
2006019216.tif 000005
【図４】
2006019216.tif 000006
【図５】
2006019216.tif 000007
【図６】
2006019216.tif 000008
【図７】
2006019216.tif 000009
【図８】
2006019216.tif 000010
【図９】
2006019216.tif 000011
【図１０】
2006019216.tif 000012
【図１１】
2006019216.tif 000013